(57)【特許請求の範囲】
【請求項１】
パチンコ球を貯留する皿部を有する球受皿本体と、前記球受皿本体の上方に突出する操作部を一体に有し、かつ操作部を押すことにより回動支軸を中心として回動し、開閉部材を球抜き孔を開放する位置又は閉止する位置に移動させる操作レバーと、該操作レバーを球抜き孔を閉止する位置に付勢する付勢部材とからなり、
前記回動支軸に挿通する操作レバーの軸通孔を回動支軸の直径より大きく形成して該操作レバーを回動支軸と軸通孔との間の隙間の範囲内で移動自在なように設けると共に、球受皿本体又は操作レバーのいずれか一方にガイド部と係合部とを有する規制片を、他方には係合突起を設け、
前記開閉部材が閉止しているときは、前記係合突起が前記規制片のガイド部に接触し、前記操作レバーを回動させて前記開閉部材が前記球抜き孔を開放する位置まで移動すると、前記係合突起が前記規制片の係合部に移動すると共に、前記付勢部材の付勢によって該係合突起を該係合部に係合させて前記操作レバーを前記球抜き孔を開放する位置に保持するようにしたことを特徴とするパチンコ機における球受皿の球抜き装置。
【発明の詳細な説明】
【０００１】
【発明の属する技術分野】
本発明は、パチンコ機の前面に取着される球受皿の球抜き装置に関し、特に球抜き孔を開放状態に保持し得るようにしたパチンコ機における球受皿の球抜き装置に関するものである。
【０００２】
【従来の技術】
従来、球受皿の球抜き孔を開放状態に保持し得るようにしたパチンコ機における球受皿の球抜き装置として、例えば特公平３−５３９５４号公報のものが知られている。
【０００３】
この従来の球受皿の球抜き装置は、球受皿の球抜き孔を開閉する摺動体と、球受皿の係合部に係脱自在なように設けられた係止部材と、係合部と係止部材との係合を外す押圧部材とを備え、係止部材を係合部に係合させることにより摺動体を球抜き孔を開放する位置に拘束すると共に、押圧部材を押圧操作して係合部と係止部材との係合を解除することにより摺動体を球抜き孔を閉止する位置に移動させるようになっていた。
【０００４】
【発明が解決しようとする課題】
上記した従来のパチンコ機における球受皿の球抜き装置は、摺動体，係止部材，押圧部材をそれぞれ付勢する付勢部材を必要とするため、部品点数が増加し、しかも構造が複雑で組立てに手間が掛かりコストアップにつながっていた。
【０００５】
本発明は、上記した問題点に鑑みてなされたもので、その目的とするところは、部品点数が少なく、かつ簡単な構造で球受皿の球抜き孔を開放状態に保持し得るようにしたパチンコ機における球受皿の球抜き装置を提供することにある。
【０００６】
【課題を解決するための手段】
上記目的を達成するために、本発明のパチンコ機における球受皿の球抜き装置は、パチンコ球を貯留する皿部を有する球受皿本体と、前記球受皿本体の上方に突出する操作部を一体に有し、かつ操作部を押すことにより回動支軸を中心として回動し、開閉部材を球抜き孔を開放する位置又は閉止する位置に移動させる操作レバーと、該操作レバーを球抜き孔を閉止する位置に付勢する付勢部材とからなり、前記回動支軸に挿通する操作レバーの軸通孔を回動支軸の直径より大きく形成して該操作レバーを回動支軸と軸通孔との間の隙間の範囲内で移動自在なように設けると共に、球受皿本体又は操作レバーのいずれか一方にガイド部と係合部とを有する規制片を、他方には係合突起を設け、操作レバーを付勢部材により付勢して係合部と係合突起とを係合させることにより操作レバーを球抜き孔を開放する位置に保持するようにしたものである。
【０００７】
上記のように構成されたパチンコ機における球受皿の球抜き装置は、操作レバーの操作部を指で押して該操作レバーを付勢部材の付勢に抗して回動し、開閉部材を球抜き孔を開放する方向に移動させる。そして、開閉部材が球抜き孔を開放する位置まで移動したとき、操作部から指を離すと該操作レバーが付勢部材の付勢により上方に移動して係合部と係合突起とが係合し、操作レバーを球抜き孔を開放する位置に保持する。また、この状態で操作部を指で押して操作レバーを押し下げると係合部と係合突起との係合が外れ、これにより操作レバーが付勢部材の付勢により元の位置に回動して球抜き孔を閉止する。
【０００８】
なお、本発明のパチンコ機における球受皿の球抜き装置は、パチンコ機の前面枠の前面に設けられる打球供給用球受皿又は打球供給用球受皿の余剰球を貯留する下部球受皿のいずれにも適用可能である。
【０００９】
【発明の実施の形態】
次に、図面を参照して本発明の実施の形態について説明する。図１はパチンコ機の正面図であり、１はパチンコ機の機枠、２は機枠１の前面に開閉自在に装着された前面枠である。前面枠２は、ほぼ中央に窓孔が形成された額縁状に形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給用の上部球受皿７が設けられており、前面枠２の前面下部には、上部球受皿７から溢出する余剰球を貯留する下部球受皿８が設けられている。
【００１０】
次に、図２ないし図４を参照して上部球受皿７の構成について説明する。上部球受皿７は、前面板４の前面に取付ける飾りベース９と、パチンコ球を貯留する皿部１０ａを有する球受皿本体１０と、該球受皿本体１０の前面を覆う装飾カバー１１とを一体に組付けて構成されている。前記皿部１０ａは、飾りベース９に開設した景品球排出口１２が臨む一端から他側端に向かって底面が緩るやかに下り傾斜すると共に、その下流側に誘導側壁１３を介して段状に高くした球圧受部１４と、該球圧受部１４の誘導側壁１３によって順次幅狭に形成されパチンコ球を一列に整列して流下させる整流通路１５が形成されている。この整流通路１５の終端には流路変更用ガイド１６と整流通路１５を流下するパチンコ球が上下に積み重なるのを防ぐ球均し板１７が設けられており、整流通路１５のパチンコ球を流路変更用ガイド１６により飾りベース９の供給口１８から前面板４の裏面側に流出させて図示しない打球供給装置に導くようになっている。また前記整流通路１５の終端底面には球抜き孔１９が開設されており、該球抜き孔１９の下方に下部球受皿８と連通する球抜通路２０が設けられている。
【００１１】
次に、図４ないし図７を参照して球抜き孔１９を開閉する機構について説明する。前記球抜き孔１９には開閉部材２１が横方向へスライド自在に設けられている。この開閉部材２１には球抜き孔１９を開閉する平板状のシャッター部２１ａと係合ピン２１ｂが設けられている。また球抜き孔１９の前部位置には操作レバー２２が設けられている。
【００１２】
前記操作レバー２２は、球受皿本体１０の上面壁１０ｂに形成された開口２９から上方へ突出する山形状の操作部２２ａと該操作部２２ａから下方へ垂下するレバー部２２ｂとを一体に有し、そのレバー部２２ｂの上端に軸通孔２３が形成され、下端には縦長孔２４が形成されている。そして、軸通孔２３を球受皿本体１０の側壁１０ｃに突設した回動支軸２５に挿通して該回動支軸２５を中心に回動自在なように支持されている。また、縦長孔２４に開閉部材２１の係合ピン２１ｂを臨ませることにより操作レバー２２と開閉部材２１とが連動可能なようになっている。また、操作レバー２２には付勢部材としてのスプリング２６の一端が連結されている。このスプリング２６は図６における右方向、すなわち操作レバー２２を常に開閉部材２１のシャッター部２１ａが球抜き孔１９を閉止する方向に付勢するようになっている。このとき操作部２２ａの一方の押圧部２２１ａが上面壁１０ｂの開口２９から外方へ突出され、他方の押圧部２２１ｂは上面壁１０ｂとほぼ同一平面上に位置されている。
【００１３】
しかして、前記操作レバー２２のレバー部２２ｂの長さ方向のほぼ中間位置の側面に係合突起２７が一体に設けられている。また、操作レバー２２の軸通孔２３は、回動支軸２５の直径より大きい円孔として形成されており、操作レバー２２が回動支軸２５と軸通孔２３との間の隙間の範囲内で上下方向に移動できるようになっている。なお、操作レバー２２は、スプリング２６により常に上方へ付勢されている。
【００１４】
一方、操作レバー２２の係合突起２７に対応する側壁１０ｃには、円弧状のガイド部２８ａと係合部２８ｂとを有する規制片２８が突設されている。この規制片２８のガイド部２８ａは、図６に示すように開閉部材２１のシャッター部２１ａが球抜き孔１９を閉止している状態において、操作レバー２２の係合突起２７の上方に位置し、かつ該操作レバー２２の回動時に係合突起２７を接触させて操作レバー２２の上方への移動を規制するようになっている。また規制片２８の係合部２８ｂは、図７に示すように開閉部材２１のシャッター部２１ａが球抜き孔１９を開放している状態において、操作レバー２２の係合突起２７が係合し得るようになっている。
【００１５】
次に、上記した球受皿の球抜き装置の作用について図６ないし図８を参照して説明する。なお、図８は便宜上図６及び図７を裏側から見たものとして示してある。まず、図６実線で示すように開閉部材２１のシャッター部２１ａが球抜き孔１９を閉止している状態において、操作レバー２２の操作部２２ａの一方の押圧部２２１ａを指で押すと、該操作レバー２２が図８（イ）鎖線のようにスプリング２６の付勢に抗して回動支軸２５を中心に反時計廻り方向（図６においては時計廻り方向）に回動し、開閉部材２１を右方向に摺動させて球抜き孔１９を開放する方向に移動させる。このとき、操作レバー２２はスプリング２６の付勢により回動支軸２５と軸通孔２３との間の隙間によって上方に移動しようとするが規制片２８のガイド部２８ａに接触してその上方への移動が規制される。
【００１６】
一方、図７に示すように開閉部材２１のシャッター部２１ａが球抜き孔１９を開放する位置まで移動すると操作レバー２２の係合突起２７が規制片２８のガイド部２８ａから外れる。しかして、このとき操作部２２ａの押圧部２２１ａから指を離して押圧を解除すると図８（ロ）鎖線で示すように操作レバー２２がスプリング２６による付勢と回動支軸２５と軸通孔２３との間の隙間により上方に移動して係合突起２７が規制片２８の係合部２８ｂに係合し、該操作レバー２２をその回動位置に保持する。このため、操作レバー２２から指を離しても開閉部材２１は球抜き孔１９を開放した状態に保持されることになり、皿部１０のパチンコ球は球抜き孔１９から球抜き通路２０を通過して下部球受皿８に流出する。
【００１７】
次に、球抜き孔１９を閉止するには、操作レバー２２の操作部２２ｂの他方の押圧部２２１ｂを指で押すと、図８（ハ）鎖線で示すように操作レバー２２が回動支軸２５と軸通孔２３との間の隙間によって下方に押し下げられて係合突起２７が規制片２８の係合部２８ｂから外れる。このため、操作レバー２２はスプリング２６の付勢により回動支軸２５を中心に時計廻り方向に回動し、開閉部材２１が図６に示す元の位置に戻されてシャッター部２１ａにより球抜き孔１９が閉止される。
【００１８】
なお、上記した実施の形態では、操作レバー２２の軸通孔２３を円孔として示したが、楕円孔であってもよい。この場合、係合突起２７と係合部２８ｂとが係合した状態において楕円孔の長手方向と規制片２８の係合部２８ｂとが直線上に位置するようにすることによりその係合状態を確実に保持することができる。また、操作レバー２２に係合突起２７を設け、該係合突起２７に対応する側壁１０ｃにガイド部２８ａと係合部２８ｂとを有する規制片２８を設けたものを示したが、図９に示すように操作レバー２２に規制片２８を設け、側壁１０ｃに係合突起２７を設けるようにしてもよい。この場合、係合突起２７の下面がガイド部２８ａの用を果すことになる。さらに、図１０に示すように操作レバー２２の操作部２２ｂの一方の押圧部２２１ａを指が掛け易い形状とすることにより、操作レバー２２を指で自然に上方に移動させることができて係合突起２７と係合部２８ｂとの係合をより確実に行わせることができる。
【００１９】
【発明の効果】
以上、説明したところから明らかなように、本発明においては、操作部材を指で押すだけの簡単な操作で開閉部材を球抜き孔を開放する位置に保持し、又はその保持を解除して球抜き孔を閉止することができるので、球受皿に貯留されるパチンコ球の球抜き操作を極めて容易に行うことができる。
【００２０】
また、構造が簡単で部品点数が少なくて済み、コストダウンを図ることができる。
【図面の簡単な説明】
【図１】本発明が適用されるパチンコ機の正面図である。
【図２】本発明に係る球抜き装置が組込まれた上部球受皿の斜視図である。
【図３】図２の上部球受皿の分解斜視図である。
【図４】図２の上部球受皿の要部斜視図である。
【図５】図４の要部分解斜視図である。
【図６】球抜き孔を閉止した状態の要部正面図である。
【図７】球抜き孔を開放した状態の要部正面図である。
【図８】（イ）〜（ハ）は作用説明図である。
【図９】他の実施の形態の要部正面図である。
【図１０】操作レバーの他の実施の形態の斜視図である。
【符号の説明】
１０      皿部
１０ａ    球受皿本体
１９      球抜き孔
２１      開閉部材
２２      操作レバー
２２ａ    操作部
２３      軸通孔
２５      回動支軸
２６      スプリング（付勢部材）
２７      係合突起
２８      規制片
２８ａ    ガイド部
２８ｂ    係合部
【図１】
0004185577.tif 000002
【図２】
0004185577.tif 000003
【図３】
0004185577.tif 000004
【図４】
0004185577.tif 000005
【図５】
0004185577.tif 000006
【図６】
0004185577.tif 000007
【図７】
0004185577.tif 000008
【図８】
0004185577.tif 000009
【図９】
0004185577.tif 000010
【図１０】
0004185577.tif 000011